【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
哺乳類の体内の創傷部位に適用され得る組成物の供給源と、
カテーテルアセンブリであって、
近位端および遠位端を有する外側チューブと、
該外側チューブ内に位置するバルーンカテーテルと
を含み、該外側チューブの該遠位端において該外側チューブ内に空間を作り出すように、該バルーンカテーテルが該外側チューブ内を移動でき、該供給源によって供給される該組成物の量は、該バルーンカテーテルと該外側チューブの該遠位端との間に作り出された該空間を満たすに十分である、カテーテルアセンブリと、
該外側チューブの該遠位端に位置するコネクタであって、該コネクタは、該供給源を受け入れて、該バルーンカテーテルと該外側チューブの該遠位端との間に作り出された空間内に、該十分な量の組成物を供給するように構成されている、コネクタと
を備える、医療用カテーテルシステム。
【請求項２】
前記組成物の前記供給源は、該組成物を充填したシリンジを含む、請求項１に記載の医療用カテーテルシステム。
【請求項３】
前記シリンジは、空気を供給して前記バルーンカテーテルのバルーンを膨張させるようにさらに構成されるか、または該シリンジは、第１のシリンジであり、空気を供給して該バルーンカテーテルのバルーンを膨張させるように構成された第２のシリンジを含む、請求項２に記載の医療用カテーテルシステム。
【請求項４】
前記バルーンカテーテルの近位端は、（ｉ）弁と、（ｉｉ）ガイドワイヤを受け入れるように構成された少なくとも１つのコネクタとのうちの少なくとも１つを含む、請求項１に記載の医療用カテーテルシステム。
【請求項５】
前記組成物は、（ｉ）生体適合性ポリマー組成物と、（ｉｉ）分子的架橋ヒドロゲルと、（ｉｉｉ）乾燥粉末と、（ｉｖ）部分的に水和したゲルと、（ｖ）完全に水和したゲルとからなる群から選択される少なくとも１つの種類である、請求項１に記載の医療用カテーテルシステム。
【請求項６】
前記組成物は、さらに（ｉ）組織を補うために、（ｉｉ）軟および硬組織領域、筋肉内に存在する窪み、管、および体腔、皮膚、上皮組織、結合または支持組織、神経組織、眼および他の感覚器官の組織、血管および心臓の組織、胃腸器官および組織、胸膜および他の肺組織、腎臓、内分泌腺、男性および女性生殖器、脂肪組織、肝臓、膵臓、リンパ、軟骨、骨、口腔組織、および粘膜組織を充填するために、（ｉｉｉ）軟質埋め込み型デバイス、乳房インプラントを充填するために、および（ｉｖ）経時的に薬物または活性薬剤を標的部位に放出するように、該薬物および活性薬剤とともに、適用されるように構成される、請求項１に記載の医療用カテーテルシステム。
【請求項７】
（ｉ）前記外側チューブの遠位端に嵌められた先端プロテクタと、（ｉｉ）使用前に前記供給源およびカテーテルアセンブリを封入するように封止できる袋と、（ｉｉｉ）導入器とのうちの少なくとも１つを含む、請求項１に記載の医療用カテーテルシステム。
【請求項８】
前記カテーテルに摺動可能に外嵌めされたスロット付きグリッパを含み、該スロット付きグリッパは、該カテーテルを握持し、および動かすように解放可能に圧縮可能である、請求項１に記載の医療用カテーテルシステム。
【請求項９】
前記外側チューブの遠位端に外嵌めするように構成されたアダプタを含み、前記組成物を前記空間に搬送するために、該外側チューブが、該アダプタのワッシャとカニューレとの間を封止できる、請求項１に記載の医療用カテーテルシステム。
【請求項１０】
近位端および遠位端を有する外側チューブと、
該外側チューブ内に位置するバルーンカテーテルであって、該バルーンカテーテルは、該外側チューブの該遠位端において該外側チューブ内に空間を作り出すように、該外側チューブ内を移動でき、該空間は、組成物を保持するようにサイズを設定され、該組成物は、哺乳類の体内の創傷部位に、該創傷部位に対応するに十分な量を適用されるように構成される、バルーンカテーテルと、
該組成物を該バルーンカテーテルと該外側チューブの該遠位端との間に作り出された該空間に供給するために、該外側チューブの遠位端を封止するように構成されたアプリケータと
を備える、医療用カテーテルアセンブリ。
【請求項１１】
前記外側チューブの前記遠位端は、前記アプリケータの嵌合コネクタと嵌合するように構成されたコネクタを含む、請求項１０に記載の医療用カテーテルアセンブリ。
【請求項１２】
前記アプリケータは、前記外側チューブの遠位端に外嵌めするように構成されたアダプタを含み、該外側チューブが、前記組成物を前記空間に搬送するために、該アダプタのワッシャとカニューレとの間を封止できる、請求項１０に記載の医療用カテーテルアセンブリ。
【請求項１３】
前記アダプタは、前記組成物を最初に保持しているシリンジと嵌合するようにさらに構成される、請求項１２に記載の医療用カテーテルアセンブリ。
【請求項１４】
前記外側チューブの前記遠位端は、前記空間に適用可能な容量測定単位を示す目盛りを含む、請求項１０に記載の医療用カテーテルアセンブリ。
【請求項１５】
前記バルーンカテーテルは、予め組み込まれたガイドワイヤを含む、請求項１０に記載の医療用カテーテルアセンブリ。
【請求項１６】
近位端および遠位端を有するシースと、
該シース内に位置するカテーテルであって、該カテーテルは、該シース内に空間を作り出すように、該シース内を移動できる、カテーテルと、
該カテーテル内に取り外し可能に挿入されたガイドワイヤであって、近位端および遠位端を有するガイドワイヤと、
該カテーテルに固定されたバルーンであって、該カテーテルを通じて該バルーンに空気が供給されたときに、該バルーンは、膨張し、該カテーテルの遠位端および該ガイドワイヤの遠位端を越えて長手方向に延びる、バルーンと
を備える、医療用カテーテルアセンブリ。
【請求項１７】
前記空間は、組成物を保持するようにサイズを設定され、該組成物は、供給源から哺乳類の体内の創傷部位に適用されるように構成される、請求項１６に記載の医療用カテーテルアセンブリ。
【請求項１８】
前記バルーンは、接着剤および縫合糸巻のうちの少なくとも１つによって前記カテーテルに固定される、請求項１６に記載の医療用カテーテルアセンブリ。
【請求項１９】
前記バルーンは、ラテックスおよびシリコンのうちの少なくとも１つから作製される、請求項１６に記載の医療用カテーテルアセンブリ。
【請求項２０】
膨張時の前記バルーンの遠位端は、比較的先が丸い、曲線的である、および前記カテーテルの前記遠位端を長手方向に約１ｍｍ越えている、のうちの少なくとも１つである、請求項１６に記載の医療用カテーテルアセンブリ。
【請求項２１】
哺乳類の体内の創傷部位に適用され得る組成物と、
カテーテルアセンブリであって、
近位端および遠位端を有する外側チューブと、
該外側チューブ内に位置するバルーンを備えるバルーンカテーテルと
を含み、該バルーンカテーテルは、該カテーテルの該遠位端から該バルーンを延長させるように、そして該外側チューブ内に引き込まれて該外側チューブの該遠位端において該外側チューブ内に空間を作り出すように、該外側チューブ内で移動できるように構成されており、該外側チューブを該哺乳類の体内に挿入する際に、該組成物が該空間内に残る、医療用カテーテルシステム。
【請求項２２】
近位端および遠位端を有する外側チューブを提供する工程と、
バルーンカテーテルを該外側チューブに挿入する工程であって、該バルーンカテーテルはバルーンを備え、そして該カテーテルの該遠位端から該バルーンを延長させるように、そして該外側チューブ内に引き込まれて該外側チューブの該遠位端において該外側チューブ内に空間を作り出すように、該外側チューブ内で移動できるように構成されており、該外側チューブを該哺乳類の体内に挿入する際に、該組成物が該空間内に残る、工程と
を包含する、医療用カテーテルシステムを作製する方法。